(57)【要約】【課題】内蔵する光源により両面の表示部材に表された文字、図柄等を表示すると共に、表示部材の取り替え及び表示の高さの変更が容易な表示用具を提供する。【解決手段】四辺が柱状体により構成された枠体１と、一辺を構成する柱状体１１の内側に、その長さ方向に配設された光源２と、１枚の反射板３１と、反射板３１の両面の各々に積層され、その一辺の端面から光源２の光が導入され、且つ反射板３１とは反対側の表面から光が放射される２枚の導光板３２１、３２２とを具備し、枠体１の内周面に保持される導光部材３と、平面方向の寸法が導光部材３と略同一であって透光性を有する表示部材４と、を備える。また、表示部材４は、導光板３２１、３２２の端縁部の表面と、枠体１を構成する柱状体１１等の内側に突出して設けられた係止部６とにより挟持され、自在に取り付け及び取り外し可能である。【選択図】図１
0003198874.tif 000002
【実用新案登録請求の範囲】
【請求項１】
四辺が柱状体により構成された枠体と、
前記枠体の一辺を構成する柱状体の内側に、前記一辺の長さ方向に配設された光源と、
１枚の反射板と、前記反射板の両面の各々に積層され、その一辺の端面から前記光源の光が導入され、且つ前記反射板とは反対側の表面から光が放射される２枚の導光板とを具備し、前記枠体の内周面に保持される導光部材と、
平面方向の寸法が前記導光部材と略同一であって透光性を有する表示部材と、
各前記導光板の端縁部の表面との間に前記表示部材を挟むように、前記枠体の少なくとも３辺の柱状体の内側に突出して設けられた係止部と、
を備え、
前記表示部材は、前記導光部材の表面と前記係止部との間に、自在に取り付け及び取り外し可能であることを特徴とする表示用具。
【請求項２】
前記光源は複数の発光ダイオードであり、前記一辺の前記長さ方向に配列されている請求項１に記載の表示用具。
【請求項３】
前記光源は、前記反射板の両面に積層された２枚の前記導光板の各々の端面に対向するように２列に配設されている請求項１又は２に記載の表示用具。
【請求項４】
前記反射板は金属箔又は白色の樹脂シートである請求項１乃至３のうちのいずれか１項に記載の表示用具。
【請求項５】
前記一辺を構成する柱状体に設けられた係止部、及び前記一辺と対向する辺を構成する柱状体に設けられた係止部の各々の長さ方向の両端部に切り欠き部が形成された請求項１乃至４のうちのいずれか１項に記載の表示用具。
【請求項６】
前記一辺と略直交する方向の二辺を構成する柱状体に設けられた係止部の長さ方向の中央部に切り欠き部が形成された請求項１乃至５のうちのいずれか１項に記載の表示用具。
【請求項７】
前記一辺と対向する辺を構成する柱状体は透光性を有する請求項１乃至６のうちのいずれか１項に記載の表示用具。
【請求項８】
前記柱状体の表面に光散乱加工が施されている請求項７に記載の表示用具。
【請求項９】
前記表示部材は、文字、図柄が印刷された樹脂シートである請求項１乃至８のうちのいずれか１項に記載の表示用具。
【請求項１０】
前記表示部材は、文字、図柄が印刷された紙と、その一面又は両面にラミネートされた樹脂層とからなる請求項１乃至８のうちのいずれか１項に記載の表示用具。
【請求項１１】
前記紙の厚さが５０〜２００μｍである請求項１０に記載の表示用具。
【請求項１２】
前記一辺を除く他の三辺を構成する各々の柱状体が交差する角部の外表面が面取りされている請求項１乃至１１のうちのいずれか１項に記載の表示用具。
【請求項１３】
前記一辺を構成する柱状体の前記光源より外方側に配設されたアダプタと、前記アダプタに、前記一辺を構成する柱状体の外方側に向けて取り付けられたブラケットとを備える請求項１乃至１２のうちのいずれか１項に記載の表示用具。
【請求項１４】
前記アダプタは、前記一辺を構成する柱状体の前記長さ方向に摺動させることができ、且つ前記長さ方向の所定位置に固定することができる請求項１３に記載の表示用具。
【請求項１５】
前記ブラケットにより取り付け面に対して所定角度で取り付けられる請求項１３又は１４に記載の表示用具。
【請求項１６】
遊技台の幕板の上端部に取り付けられる請求項１５に記載の表示用具。
【請求項１７】
複数の遊技台が配置されて構成される島の上端部に斜め上方に向けて取り付けられる請求項１５に記載の表示用具。
【考案の詳細な説明】
【技術分野】
【０００１】
本考案は、光源を内蔵する表示用具に関する。詳しくは、遊技台の幕板等の目立つ位置に取り付けられ、その両面に交換自在な各種案内、広告等を表示する表示用具に関する。
【背景技術】
【０００２】
従来、各種の情報を表示するための表示用具が用いられている。例えば、ベース部に透明な表示板を立設するとともに、表示板の端部から光を入射可能とし、貼り替え可能な態様で透明シートを貼り付け、表示板に光が入射されると、透明シートの表面に形成された所定形状の光散乱領域が光って効果的な表示が可能となる表示装置が知られている（例えば、特許文献１参照。）。
【０００３】
また、キャッチャー本体に表示プレートが差し込まれ保持されるスリットが形成され、キャッチャー本体には外に向かって発光する発光ダイオードが設けられ、キャッチャー本体に透光性ある板状体で、必要部分に発光表示を設けた表示プレートを抜き差し自在に保持させた発光表示具が知られている（例えば、特許文献２参照。）。更に、表面に所定形状の光散乱領域が形成された透明な表示板が積層されて積層表示体が構成され、複数の表示板は、表面に形成された凸部によって、互いに隙間が形成された状態で積層され、表示板の端面から入射された光が、表示板の光散乱領域を光らせる表示装置が知られている（例えば、特許文献３参照。）。
【先行技術文献】
【特許文献】
【０００４】
【特許文献１】登録実用新案第３０１０７８５号公報
【特許文献２】特開平９−２２２６４号公報
【特許文献２】特開２００９−２８２４１４号公報
【考案の概要】
【考案が解決しようとする課題】
【０００５】
前述のように、従来、各種の表示用具等が用いられている。しかし、特許文献１に記載された表示用具では、表示場所が固定されており、表示する位置、高さ等を変更することが容易ではない。また、アクリル板の反射シートが張り合わされた面と反対面に拡散シートが張り合わされており、表示用具の両面に文字、図柄等を表示させることができない。また、特許文献２に記載された発光表示具では、キャッチャー本体に透光性ある板状体で、必要部分に発光表示を設けた表示プレートにより表示がなされているため、表示プレートの両面に、文字、図柄等を明瞭に表示させることができない。更に、特許文献３に記載された表示装置では、互いに隙間が形成された状態で積層された表示板の端面から光が入射されるため、それぞれの表示板間での光の干渉が避けられず、各々の表示板の光散乱領域により形成される表示が不明瞭となることがある。
【０００６】
本考案は、上述のような従来技術の問題点に鑑み、内蔵する光源により両面の表示部材に表された文字、図柄等を明瞭に表示すると共に、表示部材の取り替えを容易にし、表示の位置、高さの変更も容易にする表示用具を提供することを目的とする。
【課題を解決するための手段】
【０００７】
本考案は、以下のとおりである。
１．四辺が柱状体により構成された枠体と、
前記枠体の一辺を構成する柱状体の内側に、前記一辺の長さ方向に配設された光源と、
１枚の反射板と、前記反射板の両面の各々に積層され、その一辺の端面から前記光源の光が導入され、且つ前記反射板とは反対側の表面から光が放射される２枚の導光板とを具備し、前記枠体の内周面に保持される導光部材と、
平面方向の寸法が前記導光部材と略同一であって透光性を有する表示部材と、
各前記導光板の端縁部の表面との間に前記表示部材を挟むように、前記枠体の少なくとも３辺の柱状体の内側に突出して設けられた係止部と、
を備え、
前記表示部材は、前記導光部材の表面と前記係止部との間に、自在に取り付け及び取り外し可能であることを特徴とする表示用具。
２．前記光源は複数の発光ダイオードであり、前記一辺の前記長さ方向に配列されている前記１．に記載の表示用具。
３．前記光源は、前記反射板の両面に積層された２枚の前記導光板の各々の端面に対向するように２列に配設されている前記１．又は２．に記載の表示用具。
４．前記反射板は金属箔又は白色の樹脂シートである前記１．乃至３．のうちのいずれか１項に記載の表示用具。
５．前記一辺を構成する柱状体に設けられた係止部、及び前記一辺と対向する辺を構成する柱状体に設けられた係止部の各々の長さ方向の両端部に切り欠き部が形成された前記１．乃至４．のうちのいずれか１項に記載の表示用具。
６．前記一辺と略直交する方向の二辺を構成する柱状体に設けられた係止部の長さ方向の中央部に切り欠き部が形成された前記１．乃至５．のうちのいずれか１項に記載の表示用具。
７．前記一辺と対向する辺を構成する柱状体は透光性を有する前記１．乃至６．のうちのいずれか１項に記載の表示用具。
８．前記柱状体の表面に光散乱加工が施されている前記７．に記載の表示用具。
９．前記表示部材は、文字、図柄が印刷された樹脂シートである前記１．乃至８．のうちのいずれか１項に記載の表示用具。
１０．前記表示部材は、文字、図柄が印刷された紙と、その一面又は両面にラミネートされた樹脂層とからなる前記１．乃至８．のうちのいずれか１項に記載の表示用具。
１１．前記紙の厚さが５０〜２００μｍである前記１０．に記載の表示用具。
１２．前記一辺を除く他の三辺を構成する各々の柱状体が交差する角部の外表面が面取りされている前記１．乃至１１．のうちのいずれか１項に記載の表示用具。
１３．前記一辺を構成する柱状体の前記光源より外方側に配設されたアダプタと、前記アダプタに、前記一辺を構成する柱状体の外方側に向けて取り付けられたブラケットとを備える前記１．乃至１２．のうちのいずれか１項に記載の表示用具。
１４．前記アダプタは、前記一辺を構成する柱状体の前記長さ方向に摺動させることができ、且つ前記長さ方向の所定位置に固定することができる前記１３．に記載の表示用具。
１５．前記ブラケットにより取り付け面に対して所定角度で取り付けられる前記１３．又は１４．に記載の表示用具。
１６．遊技台の幕板の上端部に取り付けられる前記１５．に記載の表示用具。
１７．複数の遊技台が配置されて構成される島の上端部に斜め上方に向けて取り付けられる前記１５．に記載の表示用具。
【考案の効果】
【０００８】
本考案の表示用具によれば、反射板の両面に導光板が積層され、各々の導光板の端面から光源からの光が入射されるため、それぞれの導光板と枠体との間に挟持された表示部材間での光の干渉が全くない。従って、各導光板の表面から放射される光によって、それぞれの表示部材に表示された同一又は異なる表示を各々の側から明瞭に見ることができる。また、表示部材は導光板と枠体に設けられた係止部との間に挟持されているため、自在に取り付け及び取り外しが可能であり、例えば、遊技台の表示用具として用いる場合には、新台導入や各種イベントの案内等をタイミングよく表示させることができる。
【０００９】
光源が複数の発光ダイオード（以下、「ＬＥＤ」と略記する。）であり、枠体の一辺の長さ方向に配列されているときは、各導光板を介して各表示部材の全面を均等に明瞭に表示させることができる。
また、光源が、反射板の両面に積層された２枚の導光板の各々の端面に対向するように２列に配設されているときは、各々の導光板の端面に対して各列のＬＥＤの光を効率良く入射させることができ、各導光板の表面から放射される光によって、両面の表示部材を均等に照らすことができる。
更に、反射板が金属箔又は白色の樹脂シートであれば、多くの光を導光板の表面から表示部材側に放射させることができ、両面の表示部材を光学的に分離して視認性に優れた表示用具とすることができる。
【００１０】
前記一辺を構成する柱状体、及びこの一辺と対向する辺を構成する柱状体の各々に設けられた係止部の長さ方向の両端部に切り欠き部が形成されていれば、表示部材の取り付け、取り外しの際に、表示部材の端部を差し入れ、取り出すことで、表示部材を容易に着脱することができる。
また、前記一辺と略直交する方向の二辺を構成する柱状体に設けられた係止部の長さ方向の中央部に切り欠き部が形成されていれば、表示部材の取り付け、取り外しの際に、表示部材の幅方向の中央部を指で押しながら表示部材の端部を少し移動させることで容易に着脱することができる。
【００１１】
前記一辺と対向する辺を構成する柱状体が透光性を有しているときは、光源とは反対側の導光板の端面から放射される光がこの柱状体に入射されるため、枠体の美観を向上させることができる。
また、前記一辺と対向する辺を構成する柱状体の表面に光散乱加工が施されているときは、この柱状体の表面から放射される光の散乱によって、枠体の美観をより向上させることができる。
【００１２】
表示部材が、文字、図柄が印刷された樹脂シートであるときは、文字や図柄を設けた表示部材の作成が容易であり、表示用具の設置者が、表示部材を自由に作成することが可能となる。
表示部材が、文字、図柄が印刷された紙と、その一面又は両面にラミネートされた樹脂層とからなるときは、取扱い性に優れ、表示部材が汚損されることも防止される。
また、紙の厚さが５０〜２００μｍであれば、十分な透光性を有し、表示の視認性が向上される。
【００１３】
前記一辺を除く他の三辺を構成する各々の柱状体が交差する角部の外表面が面取りされているときは、人が頭等をぶつけたときの危険性が低減されるとともに、枠体の美観も向上する。
【００１４】
更に、前記一辺を構成する柱状体の光源より外方側に配設されたアダプタと、アダプタに、一辺を構成する柱状体の外方側に向けて取り付けられたブラケットとを備えていれば、任意の板状体の上端部等にブラケットを引っ掛けることで、表示用具を容易に設置固定することができる。
また、アダプタが、前記一辺を構成する柱状体の長さ方向に摺動させることができ、且つ長さ方向の所定位置に固定することができるときは、表示目的、表示効果、安全性等の面から最適な上下方向の位置に、表示用具の設置高さを調整し固定することができる。
更に、表示用具がブラケットにより取り付け面に対して所定角度で取り付けられる場合は、表示部材の表示の内容等によって、より表示効果が高まる角度で取り付けることができる。
また、遊技台の幕板の上端部に取り付けられるとき、及び複数の遊技台が配置されて構成される島の上端部に斜め上方に向けて取り付けられるときは、新台の導入、各種のイベントの案内等を客に容易に且つ十分にアピールすることができる。
【図面の簡単な説明】
【００１５】
【図１】表示用具を構成する各々の部材を分解して示す斜視図である。
【図２】表示用具を光源が配設された側とは反対側からみた斜視図である。
【図３】表示用具を光源等が配設された柱状体の外面側からみた斜視図である。
【図４】表示用具の正面図である。
【図５】表示用具の光源等が配設された柱状体を外面側からみた側面図である。
【図６】表示用具の光源等が配設された柱状体と対向する柱状体を外面側からみた側面図である。
【図７】表示用具の光源等が配設された柱状体と直交する方向の一方の側の柱状体を外面側からみた側面図である。
【図８】表示用具の光源等が配設された柱状体と直交する方向の他方の側の柱状体を外面側からみた側面図である。
【図９】表示部材の正面及び表示部材の一辺の端面側に配置された光源及び光源板の側端面とを示す説明図である。
【図１０】図９の導光部材と光源及び光源板とを図９とは直交する一側方からみた側面を示す説明図である。
【図１１】枠体の内側に表示部材を差し込み、取り付ける際の操作を示す説明図である。
【図１２】幕板の上端面と表示用具の上端面とが略同一面となっている形態を示す説明図である。
【図１３】表示用具の上端面が幕板の上端面より上方に位置している形態を示す説明図である。
【図１４】幕板の上端部に予め取り付けられたブラケットにアダプタを係合し、固定する操作を示す斜視図である。
【図１５】複数の遊技台が配置されて構成される島の上端部に斜め上方に向けて取り付けられた表示用具の正面図である。
【図１６】図１５の表示用具と島の上端面とを光源等が配設された柱状体の外面側からみた正面図である。  尚、図１２、１３の各々の右側の図は表示用具の正面図及び幕板の断面図であり、左側の図は枠体の一辺を構成する柱状体を裏面側からみた正面図である。
【考案を実施するための形態】
【００１６】
以下、図１〜１６を参照しながら本考案の表示用具を詳しく説明する。
ここで示される事項は例示的なもの及び本考案の実施形態を例示的に説明するためのものであり、本考案の原理と概念的な特徴とを最も有効に且つ難なく理解できる説明であると思われるものを提供する目的で述べたものである。この点で、本考案の根本的な理解のために必要である程度以上に本考案の構造的な詳細を示すことを意図してはおらず、図面と合わせた説明によって本考案の幾つかの形態が実際にどのように具現化されるかを当業者に明らかにするものである。
【００１７】
［１］表示用具１００
本考案の表示用具１００は、四辺が柱状体により構成された枠体１と、その一辺を構成する柱状体１１の内側に、この一辺１１の長さ方向に配設された光源２と、１枚の反射板３１と、反射板３１の両面の各々に積層され、その一辺の端面から光源２の光が導入され、且つ反射板３１とは反対側の表面から光が放射される２枚の導光板３２１、３２２とを具備し、枠体１の内周面に保持される導光部材３と、平面方向の寸法が導光部材３と略同一であって透光性を有する表示部材４と、を備える（図１参照）。
【００１８】
また、本考案の表示用具１００では、各導光板３２１、３２２の端縁部の表面との間に表示部材４を挟むように、枠体１の少なくとも３辺の柱状体の内側に突出して係止部６が設けられる（図１〜４及び１１参照）。このようにして、各導光板３２１、３２２と枠体１との間に挟持された表示部材４は、導光部材３の表面と係止部６との間に、自在に取り付け及び取り外し可能である（図１１参照）。
【００１９】
［２］枠体１及び柱状体１１、１２、１３、１４
枠体１の平面方向の形状は、通常、正方形又は長方形であり、長方形であることが多い（図１等参照）。また、枠体１の四辺を構成する柱状体１１、１２、１３、１４の材質は特に限定されないが、アクリル樹脂、ポリエチレン、ポリプピレン等のポリオレフィン樹脂、ポリアミド樹脂等の各種の熱可塑性樹脂を用いることができる。これらの熱可塑性樹脂であれば、例えば、射出成形等の方法により所定形状の枠体１を容易に成形することができる。また、枠体１が樹脂製であれば、軽量であって取り扱い易く、表示用具１００の所定箇所への取り付け、取り外しも容易であり好ましい（図１２〜１６参照）。
【００２０】
また、枠体１は、その内周面に導光部材３を保持させる必要があり、その一辺を構成する柱状体１１には、光源２及びアダプタ７を配設する必要もある（図１、３、５等参照）。そのため、通常、半割体として成形され（図１〜３、５〜８参照）、各々の半割体の内面側の対応する位置に形成された凸部と凹部とを係合させる、又は所定箇所を接着剤により接合する、超音波溶着等の方法により溶着させるなどの方法により一体とすることで枠体１が形成される。
【００２１】
また、枠体１を形成するための半割体を、例えば、射出成形等の方法で成形するのは、金型も複雑となり、操作も煩雑になるため、通常、柱状体１１、１２、１３、１４となるそれぞれの半割体を成形し、各々の半割体の長さ方向の端面部を、上述のような、凸部と凹部との係合、接着剤による接合、超音波溶着等による溶着などの方法により一体とし、これらの枠状の半割体を同様の方法により一体とすることで枠体１を形成することができる。尚、枠体１は、それぞれの柱状体となる半割体を予め一体とし、その後、各々の柱状体を一体とすることにより形成することもできる。
【００２２】
更に、枠体１の前記一辺と対向する辺を構成する柱状体１２、及び枠体１の前記一辺と略直交する方向の二辺を構成する柱状体１３、１４の各々との角部は、柱状体１２、１３、１４のいずれかの柱状体の一部として成形された円弧状部であってもよく、別部材として成形された円弧状の部材であってもよい（図１〜４等参照）。図１等に図示された枠体１では、角部は別部材として成形された円弧状の部材により構成されている。これらのいずれの形態であっても、それぞれの成形部材は、上述のような、係合、接合、溶着などの方法により一体とし、枠体１を形成することができる。尚、別部材として成形された角部は、柱状体１２、１３、１４のいずれかの一部を構成しているとみなすことができる。
【００２３】
また、枠体１の前記一辺と対向する辺を構成する柱状体１２は、透光性を有していてもよい。これにより、光源２とは反対側の導光板３２１及び３２２の端面から放射される光がこの柱状体１２に入射されるため、柱状体１２からも光が放射され、枠体１の美観が向上する。更に、柱状体１２は透光性であるとともに、その表面に光散乱加工が施されていてもよい。この光散乱加工の方法は特に限定されないが、例えば、ダイヤカット法などが挙げられる。この光散乱加工により、柱状体１２の輝きが増し、より美観に優れた枠体１とすることができる。
【００２４】
また、枠体１の一辺を除く他の三辺を構成する各々の柱状体が交差する角部、即ち、柱状体１２と柱状体１３とが交差する角部、及び柱状体１２と柱状体１４とが交差する角部、の外表面は面取りされていることが好ましい（図１〜４等参照）。このようにすれば、人が頭等をぶつけて怪我をするなどの危険性が回避される。
【００２５】
［３］光源２
枠体１の一辺を構成する柱状体１１の内側には、その長さ方向に光源２が配設される。光源２は、対向する導光板３２１、３２２の端面の全長に亘って配設されることが好ましい。これにより、各導光板の表面から放射される光によって、両面の表示部材４を均等に照らすことができる。
光源２の種類は特に限定されず、ＬＥＤ、有機ＥＬ素子、蛍光管等が挙げられるが、複数のＬＥＤを配設するのが好適である。例えば、複数のＬＥＤは、プリント配線基板である光源板２ａの一面側に配列することができる。
【００２６】
ＬＥＤは、光源板２ａの一面側に１列に配設されていてもよいが、導光部材３が備える反射板３１の両面に積層された２枚の導光板３２１、３２２の各々の端面に対向するように、２列に配設されていることが好ましい（図１参照）。これにより、各々の導光板３２１、３２２の端面に対して、各列のＬＥＤの光を効率良く入射させることができる。
【００２７】
また、ＬＥＤは発熱するため、光源板２ａの裏面側には放熱体２ｂが配設されていることが好ましい（図１参照）。放熱体２ｂの材質は、放熱が十分になされる限り、特に限定されない。放熱体２ｂの材料として、例えば、アルミニウム、銅等の熱伝導性の高い金属を用いることができる。そして、放熱体２ｂが配設された光源板２ａを、柱状体１１の内側に配置させることで、柱状体１１の内側の長さ方向に複数個のＬＥＤが並んで配設されることになる（図１、９参照）。
【００２８】
光源２が配設された光源板２ａと、光源板２ａの裏面側に配設される放熱体２ｂとは、必要十分な放熱が可能である限り、どのような方法によって一体としてもよい。例えば、放熱体２ｂに設けられた凹部に光源板２ａを嵌め込んで一体とすることができる。また、放熱体２ｂに光源板２ａを接着剤等により接合して一体としてもよい。
光源板２ａの裏面側に配設される放熱体２ｂの、柱状体１１の内側への固定方法は特に限定されない。また、柱状体１１には、放熱体２ｂによる放熱を効率的にするように、適宜通風穴を設けておくことができる。
【００２９】
［４］導光部材３
導光部材３は、１枚の反射板３１と、その両面の各々に積層された２枚の導光板３２１、３２２とを備える（分解して図示されている図１、及び積層されて図示されている図１０参照）。導光部材３は、枠体１の内周面の端縁部により挟持され、保持されるようにすることができる。
２枚の導光板３２１、３２２には、前記のように、それぞれの柱状体１１側の端面から光源２の発する光が導入され、導入された光は反射板３１とは反対側の表面、即ち、各々の導光板３２１、３２２の表示部材４側表面から放射される。
【００３０】
反射板３１の材質は、光が十分に反射されればよく、特に限定されないが、アルミニウム箔のような反射性の高い金属箔、及び白色の樹脂シート等を用いることができる。
導光板３２１、３２２の材質も特に限定されず、一般に導光板として用いられているものを使用することができる。例えば、アクリル樹脂、ポリカーボネート等の透光性の高い樹脂を用いてなるシートにダイヤカット加工等の加工が施されてなる導光板３２１、３２２を用いることができる。
【００３１】
［５］表示部材４
表示部材４には、表示する文字及び／又は図柄が描かれている。そして、表示部材４（図１、９、１１参照）は、平面方向の寸法が導光部材３と略同一であって透光性を有する。
この表示部材４は、各導光板３２１、３２２と、枠体１の内側に設けられた係止部６との間に挟持されるようにすることができる。例えば、枠体１の少なくとも３辺の柱状体（柱状体１１、１２、１３、１４のいずれであってもよい。）の内側に突出する係止部６を設けることができる。このようにすれば、両面それぞれの表示部材４は、各導光板３２１、３２２の端縁部の表面と、係止部６の内表面との間に挟持されることによって、取り付け固定が可能になる。好ましくは、係止部６は、枠体１の４辺の柱状体の内側に突出するように設けられる。
【００３２】
表示部材４は、上記のように、枠体１の内側に、導光部材３（導光板３２１、３２２）の表面に接するように保持される。そして、表示部材４は透光性を有するため、導光板３２１、３２２から放射された光を、描かれた文字及び／又は図柄に応じて透過させる。表示部材４は、これによって描かれた文字、図柄等を視認させることができればよく、その材質及び構成は特に限定されない。表示部材４としては、例えば、透光性を有し、文字、図柄等が印刷された樹脂シートとすることができる。また、文字、図柄等が印刷された紙の一面又は両面にラミネートされた樹脂層を設けたものとすることができる。また、ラミネートはされてはおらず、樹脂シートが積層されている形態であってもよい。
【００３３】
透光性を有する紙としては、厚さ５０〜２００μｍ、特に７０〜１２０μｍの一般的な印刷用紙などを用いることができる。
樹脂シート又は紙にラミネートされた樹脂層は透明性が高いことが好ましいが、成形性及びコスト等を勘案すると、必ずしもアクリル樹脂などを用いる必要はなく、成形時に急冷されること等によって透明性が向上したポリオレフィン樹脂シート又は樹脂層であってもよい。
【００３４】
［６］表示部材４の取り付け及び取り外し
表示部材４は、導光板３２１、３２２と、枠体１の少なくとも３辺の柱状体、好ましくは４辺の柱状体１１、１２、１３、１４の内側に突出して設けられた係止部６との間に挟持され、且つ枠体１の内周面側に取り付け、取り外し自在である。この取り付け、取り外しを容易にするため、一辺を構成する柱状体１１に設けられた係止部６、及び一辺と対向する辺を構成する柱状体１２に設けられた係止部６の各々の長さ方向の両端部に切り欠き部６ａが形成されていることが好ましい（図１〜４、１１参照）。これにより、枠体１の一方の側（図の上方側）又は他方の側（図の下方側）から、導光板３２１、３２２の周縁部と、係止部６との間に表示部材４を容易に差し込み、取り付けることができる。
【００３５】
また、一辺と略直交する方向の二辺を構成する柱状体１３、１４に設けられた係止部の長さ方向の中央部には、切り欠き部６ｂが形成されていることが好ましい（図１〜４、１１参照）。これにより、枠体１の一方の側（図の上方側）又は他方の側（図の下方側）から、導光板３２１、３２２の周縁部と、係止部６との間に差し込まれ、取り付けられている表示部材４を容易に取り外すことができる。即ち、枠体１の一方の側（図の上方側）の切り欠き部６ｂに指を当て、少し押し下げ、又は他方の側（図の下方側）の切り欠き部６ｂに指を当て、少し押し上げ、その後、表示部材４を引き出して取り外すことができる。
【００３６】
［７］アダプタ７及びブラケット８
表示用具１００は、枠体１の一辺を構成する柱状体１１の光源２より外方側に配設されたアダプタ７と、アダプタ７に、柱状体１１の外方側に向けて取り付けられたブラケット８とを備える。更に、アダプタ７は、一辺を構成する柱状体１１の長さ方向に摺動させることができ、且つ長さ方向の所定位置に固定することができる構成とされている（図１、３、５．１３参照）。
【００３７】
枠体１の一辺を構成する柱状体１１の外方側にアダプタ７を配設する形態は特に限定されないが、アダプタ７を柱状体１１の長さ方向に摺動可能とするためには、例えば、柱状体１１の外方側の平面方向の周縁部に鉤止部を立設し、鉤止部の内周側にアダプタ７を配設する形態が挙げられる。また、アダプタ７の幅方向の中央部に、長さ方向の両端部を除いて摺動溝を設け、柱状体１１の外方側に摺動溝の外側から配置された固定用ネジ７ａを定点としてアダプタ７を長さ方向に摺動させ、所定位置に固定用ネジ７ａにより固定する構成とすることができる。更に、アダプタ７とブラケット８とは、互いに対向する面にそれぞれ設けられた係止部を係合させることで、一体に固定することができる。
【００３８】
［８］表示用具１００の取り付け位置及び手順
表示用具１００は、文字、図柄を表示させる必要がある箇所に、ブラケット８により取り付けて用いることができる。また、表示用具１００は、取り付け面に対して所定角度で取り付けることができる。取り付け角度は、表示内容、表示目的等によって設定すればよいが、通常、取り付け面に対して平行方向又は斜め上方に向けて取り付けられる。また、表示内容、表示目的等によっては、斜め下方に向けて取り付けてもよい。
【００３９】
更に、アダプタ７は柱状体１１の長さ方向に摺動させることができ、且つ所定位置に固定することができるため、表示用具１００を表示させる高さ（上下方向の位置）を調整することができる。例えば、表示用具１００を遊技台の幕板９に、幕板９に接して且つ幕板９の上下方向に取り付けるとき、アダプタ７を、その上端面が柱状体１１の上端面と面一となるように固定用ネジ７ａにより柱状体１１に固定した場合（図１２参照）、表示用具１００の上端面と幕板８の上端面とが面一となる。
【００４０】
一方、アダプタ７を、その下端面が柱状体１１の下端面と面一となるように固定用ネジ７ａにより柱状体１１に固定した場合（図１３参照）、幕板９の上端面に、表示用具１００の長さ方向の中間部が位置することになる。即ち、表示用具１００は、必要に応じて、より高い位置に取り付けることもできる。
【００４１】
また、表示用具１００は、遊技台の幕板８の上端部に取り付けて用いることができるが、この場合、取り付けの手順は特に限定されない。例えば、ブラケット８を予め遊技台の幕板９の上端部に引っ掛けて取り付け、ローレットビス８ａにより固定し、その後、ブラケット８に設けられた係止部に、アダプタ７に設けられた係止部を係合させることで、表示用具１００を遊技台の幕板９の上端部に取り付けることができる（図１４参照）。
【００４２】
更に、表示用具１００は、複数の遊技台が配置されて構成される島１０の上端部、特に上端面１０ａに取り付けて用いることもできる（図１５、１６参照）。この場合、例えば、アダプタ７を木ネジ等により島の上端面１０ａに固定し、アダプタ７に設けられた係止部に、ブラケット８（表示用具１００を幕板９に取り付けるときとは形状が異なるが同符号とする。）に設けられた係止部を係合させて一体に固定することができる。また、表示用具１００を島１０の上端部に取り付けるときは、ブラケット８の島の上端面１０ａに固定される固定部とアダプタ７に係合される係合部との角度により、表示用具１００の島の上端面１０ａに対する角度を所定角度とすることができる。
【００４３】
尚、本考案においては、以上に示した実施形態に限られず、目的、用途に応じて本考案の範囲内で種々変更した態様とすることができる。例えば、枠体１の平面方向の形状（導光部材３及び表示部材４の各々の平面方向の形状も、通常、枠体１と同形状とされる。）は、正方形又は長方形、特に長方形であるが、平行四辺形又は菱形であってもよく、柱状体１１と柱状体１２とが平行であれば台形であってもよい。これらの形状は、表示したい文字、図形の種類等によって選択することができる。また、表示用具１００は、ブラケット８に設けられた係止部に、アダプタ７に設けられた係止部を予め係合させ、その後、ブラケット８を遊技台の幕板９の上端部に引っ掛けて取り付け、固定することもできる。
【００４４】
更に、表示用具１００は、ブラケット８に設けられた係止部に、アダプタ７に設けられた係止部を予め係合させ、その後、ブラケット８を島１０の上端部、特に上端面１０ａに取り付け、固定することもできる。また、ブラケット８の形状、寸法等を適宜設定することで、表示用具１００と島１０の側端部との間隙を所定寸法とすることができ、表示用具１００と島１０の側端部とは近接していてもよいし（図１５参照）、ブラケット８が十分な強度を有していれば離間させてもよい。
【符号の説明】
【００４５】
１００；表示用具、１；枠体、１１；光源等が配設された柱状体、１２；柱状体１１に対向する柱状体、１３；柱状体１１と略直交する方向の一方の柱状体、１４；柱状体１１と略直交する方向の他方の柱状体、２；光源、２ａ；光源板、２ｂ；放熱体、３；導光部材、３１；反射板、３２１、３２２；導光板、４；表示部材、５；枠体の角部、６；係止部、６ａ；係止部の中央部に形成された切り欠き部、６ｂ；係止部の長さ方向の両端部に形成された切り欠き部、７；アダプタ、７ａ；固定用ネジ、８；ブラケット、８ａ；ローレットビス、９；幕板、１０；複数の遊技台が配置されて構成される島の一部（端部）、１０ａ；島の上端面。
【図１】
0003198874.tif 000003
【図２】
0003198874.tif 000004
【図３】
0003198874.tif 000005
【図４】
0003198874.tif 000006
【図５】
0003198874.tif 000007
【図６】
0003198874.tif 000008
【図７】
0003198874.tif 000009
【図８】
0003198874.tif 000010
【図９】
0003198874.tif 000011
【図１０】
0003198874.tif 000012
【図１１】
0003198874.tif 000013
【図１２】
0003198874.tif 000014
【図１３】
0003198874.tif 000015
【図１４】
0003198874.tif 000016
【図１５】
0003198874.tif 000017
【図１６】
0003198874.tif 000018
【手続補正書】
【提出日】平成27年5月25日(2015.5.25)
【手続補正１】
【補正対象書類名】実用新案登録請求の範囲
【補正対象項目名】全文
【補正方法】変更
【補正の内容】
【実用新案登録請求の範囲】
【請求項１】
四辺が柱状体により構成された枠体と、
前記枠体の一辺を構成する柱状体の内側に、前記一辺の長さ方向に配設された光源と、
１枚の反射板と、前記反射板の両面の各々に積層され、その一辺の端面から前記光源の光が導入され、且つ前記反射板とは反対側の表面から光が放射される２枚の導光板とを具備し、前記枠体の内周面に保持される導光部材と、
平面方向の寸法が前記導光部材と略同一であって透光性を有する表示部材と、
各前記導光板の端縁部の表面との間に前記表示部材を挟むように、前記枠体の少なくとも３辺の柱状体の内側に突出して設けられた係止部と、
を備え、
前記表示部材は、前記導光部材の表面と前記係止部との間に挟持されることを特徴とする表示用具。
【請求項２】
前記光源は複数の発光ダイオードであり、前記一辺の前記長さ方向に配列されている請求項１に記載の表示用具。
【請求項３】
前記光源は、前記反射板の両面に積層された２枚の前記導光板の各々の端面に対向するように２列に配設されている請求項１又は２に記載の表示用具。
【請求項４】
前記反射板は金属箔又は白色の樹脂シートである請求項１乃至３のうちのいずれか１項に記載の表示用具。
【請求項５】
前記一辺を構成する柱状体に設けられた係止部、及び前記一辺と対向する辺を構成する柱状体に設けられた係止部の各々の長さ方向の両端部に切り欠き部が形成された請求項１乃至４のうちのいずれか１項に記載の表示用具。
【請求項６】
前記一辺と略直交する方向の二辺を構成する柱状体に設けられた係止部の長さ方向の中央部に切り欠き部が形成された請求項１乃至５のうちのいずれか１項に記載の表示用具。
【請求項７】
前記一辺と対向する辺を構成する柱状体は透光性を有する請求項１乃至６のうちのいずれか１項に記載の表示用具。
【請求項８】
前記柱状体の表面に光散乱加工が施されている請求項７に記載の表示用具。
【請求項９】
前記表示部材は、文字、図柄が印刷された樹脂シートである請求項１乃至８のうちのいずれか１項に記載の表示用具。
【請求項１０】
前記表示部材は、文字、図柄が印刷された紙と、その一面又は両面にラミネートされた樹脂層とからなる請求項１乃至８のうちのいずれか１項に記載の表示用具。
【請求項１１】
前記紙の厚さが５０〜２００μｍである請求項１０に記載の表示用具。
【請求項１２】
前記一辺を除く他の三辺を構成する各々の柱状体が交差する角部の外表面が面取りされている請求項１乃至１１のうちのいずれか１項に記載の表示用具。
【請求項１３】
前記一辺を構成する柱状体の前記光源より外方側に配設されたアダプタと、前記アダプタに、前記一辺を構成する柱状体の外方側に向けて取り付けられたブラケットとを備える請求項１乃至１２のうちのいずれか１項に記載の表示用具。
【請求項１４】
前記アダプタには摺動溝が設けられ、前記アダプタは、前記摺動溝の固定用ネジを定点として、前記一辺を構成する柱状体の前記長さ方向の所定位置に固定される請求項１３に記載の表示用具。
【請求項１５】
前記ブラケットは、取り付け面に固定される固定部と前記アダプタに係合される係合部とが所定の角度をなす請求項１３又は１４に記載の表示用具。
【請求項１６】
前記ブラケットの前記固定部は、遊技台の幕板の上端面に固定される請求項１５に記載の表示用具。
【請求項１７】
前記ブラケットの前記固定部は、複数の遊技台が配置されて構成される島の上端面に固定される請求項１５に記載の表示用具。
【手続補正２】
【補正対象書類名】明細書
【補正対象項目名】０００７
【補正方法】変更
【補正の内容】
【０００７】
本考案は、以下のとおりである。
１．四辺が柱状体により構成された枠体と、
前記枠体の一辺を構成する柱状体の内側に、前記一辺の長さ方向に配設された光源と、
１枚の反射板と、前記反射板の両面の各々に積層され、その一辺の端面から前記光源の光が導入され、且つ前記反射板とは反対側の表面から光が放射される２枚の導光板とを具備し、前記枠体の内周面に保持される導光部材と、
平面方向の寸法が前記導光部材と略同一であって透光性を有する表示部材と、
各前記導光板の端縁部の表面との間に前記表示部材を挟むように、前記枠体の少なくとも３辺の柱状体の内側に突出して設けられた係止部と、
を備え、
前記表示部材は、前記導光部材の表面と前記係止部との間に挟持されることを特徴とする表示用具。
２．前記光源は複数の発光ダイオードであり、前記一辺の前記長さ方向に配列されている前記１．に記載の表示用具。
３．前記光源は、前記反射板の両面に積層された２枚の前記導光板の各々の端面に対向するように２列に配設されている前記１．又は２．に記載の表示用具。
４．前記反射板は金属箔又は白色の樹脂シートである前記１．乃至３．のうちのいずれか１項に記載の表示用具。
５．前記一辺を構成する柱状体に設けられた係止部、及び前記一辺と対向する辺を構成する柱状体に設けられた係止部の各々の長さ方向の両端部に切り欠き部が形成された前記１．乃至４．のうちのいずれか１項に記載の表示用具。
６．前記一辺と略直交する方向の二辺を構成する柱状体に設けられた係止部の長さ方向の中央部に切り欠き部が形成された前記１．乃至５．のうちのいずれか１項に記載の表示用具。
７．前記一辺と対向する辺を構成する柱状体は透光性を有する前記１．乃至６．のうちのいずれか１項に記載の表示用具。
８．前記柱状体の表面に光散乱加工が施されている前記７．に記載の表示用具。
９．前記表示部材は、文字、図柄が印刷された樹脂シートである前記１．乃至８．のうちのいずれか１項に記載の表示用具。
１０．前記表示部材は、文字、図柄が印刷された紙と、その一面又は両面にラミネートされた樹脂層とからなる前記１．乃至８．のうちのいずれか１項に記載の表示用具。
１１．前記紙の厚さが５０〜２００μｍである前記１０．に記載の表示用具。
１２．前記一辺を除く他の三辺を構成する各々の柱状体が交差する角部の外表面が面取りされている前記１．乃至１１．のうちのいずれか１項に記載の表示用具。
１３．前記一辺を構成する柱状体の前記光源より外方側に配設されたアダプタと、前記アダプタに、前記一辺を構成する柱状体の外方側に向けて取り付けられたブラケットとを備える前記１．乃至１２．のうちのいずれか１項に記載の表示用具。
１４．前記アダプタには摺動溝が設けられ、前記アダプタは、前記摺動溝の固定用ネジを定点として、前記一辺を構成する柱状体の前記長さ方向の所定位置に固定される前記１３．に記載の表示用具。
１５．前記ブラケットは、取り付け面に固定される固定部と前記アダプタに係合される係合部とが所定の角度をなす前記１３．又は１４．に記載の表示用具。
１６．前記ブラケットの前記固定部は、遊技台の幕板の上端面に固定される前記１５．に記載の表示用具。
１７．前記ブラケットの前記固定部は、複数の遊技台が配置されて構成される島の上端面に固定される前記１５．に記載の表示用具。
【手続補正３】
【補正対象書類名】明細書
【補正対象項目名】００１４
【補正方法】変更
【補正の内容】
【００１４】
更に、前記一辺を構成する柱状体の光源より外方側に配設されたアダプタと、アダプタに、一辺を構成する柱状体の外方側に向けて取り付けられたブラケットとを備えていれば、任意の板状体の上端部等にブラケットを引っ掛けることで、表示用具を容易に設置固定することができる。
また、アダプタには摺動溝が設けられ、アダプタは、摺動溝の固定用ネジを定点として、一辺を構成する柱状体の長さ方向の所定位置に固定されるときは、表示目的、表示効果、安全性等の面から最適な上下方向の位置に、表示用具の設置高さを調整し固定することができる。
更に、ブラケットは、取り付け面に固定される固定部とアダプタに係合される係合部とが所定の角度をなす場合は、表示部材の表示の内容等によって、より表示効果が高まる角度で取り付けることができる。
また、ブラケットの固定部が、遊技台の幕板の上端面に固定されるとき、及びブラケットの固定部が、複数の遊技台が配置されて構成される島の上端面に固定されるときは、新台の導入、各種のイベントの案内等を客に容易に且つ十分にアピールすることができる。